(57)【要約】【課題】収納時や使用時に空気極への空気の供給が十分に確保される燃料電池内蔵装置用カバーおよび燃料電池内蔵装置を提供すること。【解決手段】本発明に係る燃料電池内蔵装置用カバー３０は、空気取入孔が設けられた筐体２０と、筐体２０に内蔵され、燃料極、空気極および電解質膜を有する燃料電池とを備えた燃料電池内蔵装置１に用いられ、燃料電池内蔵装置１の筐体２０の空気取入孔を覆うように配置される立体形状の燃料電池内蔵装置用カバー３０であり、筐体２０の空気取入孔に連通する三次元空気流通路が設けられる。【選択図】  図２
2010055797.tif 000002
【特許請求の範囲】
【請求項１】
空気取入孔が設けられた筐体と、この筐体に内蔵され、燃料極、空気極および電解質膜を有する燃料電池とを備えた燃料電池内蔵装置に用いられ、この燃料電池内蔵装置の筐体の空気取入孔を覆うように配置される立体形状の燃料電池内蔵装置用カバーであって、
前記カバーは、前記筐体の空気取入孔に連通する三次元空気流通路が設けられたことを特徴とする燃料電池内蔵装置用カバー。
【請求項２】
前記カバーはボックス状であり、カバーの外表面および外側面に前記筐体の空気取入孔に連通する空気流通口が開口することにより前記三次元空気流通路を形成したことを特徴とする請求項１に記載の燃料電池内蔵装置用カバー。
【請求項３】
前記カバーは、外表面に設けられた複数個の空気流通口がマトリックス状に配列されたことを特徴とする請求項２に記載の燃料電池内蔵装置用カバー。
【請求項４】
前記カバーは、外表面に設けられた空気流通口がスリット状に形成されたことを特徴とする請求項２に記載の燃料電池内蔵装置用カバー。
【請求項５】
前記カバーは、空気流通口が、前記外表面と外側面とにまたがって切欠されたスリット状に形成されたことを特徴とする請求項２に記載の燃料電池内蔵装置用カバー。
【請求項６】
前記カバーは、複数条のリブ状の凸部を有し、隣接する凸部間に、前記筐体の空気取入孔に連通する空気流通口が開口するとともにこの空気流通口に連通する前記三次元空気流通路が形成されたことを特徴とする請求項１に記載の燃料電池内蔵装置用カバー。
【請求項７】
前記カバーは、複数個の脚部材と隣接する脚部材間に掛け渡されたブリッジ部材とを有する門型形状の凸部を複数個有し、前記ブリッジ部材の下方のブリッジ下空間に前記筐体の空気取入孔に連通する空気流通口が開口するとともに、隣接する凸部間に前記ブリッジ下空間に連通する隙間が設けられ、前記ブリッジ下空間および隙間が前記三次元空気流通路を形成することを特徴とする請求項１に記載の燃料電池内蔵装置用カバー。
【請求項８】
前記カバーは、表面および裏面に開口した連続気泡体で形成され、カバー内の連続気泡が前記三次元空気流通路を形成することを特徴とする請求項１に記載の燃料電池内蔵装置用カバー。
【請求項９】
請求項１乃至請求項８いずれか１項記載の燃料電池内蔵装置用カバーを配置してなることを特徴とする燃料電池内蔵装置。
【発明の詳細な説明】
【技術分野】
【０００１】
本発明は燃料電池を内蔵する燃料電池内蔵装置用カバーおよび燃料電池内蔵装置に関し、詳しくは、空気極への空気の供給が十分に確保される燃料電池内蔵装置用カバーおよび燃料電池内蔵装置に関する。
【背景技術】
【０００２】
近年、電子技術の進歩により、電子機器の小型化、高性能化、ポータブル化が進んでいる。また、携帯用電子機器においては、使用される電池の高エネルギー密度化への要求が高まっている。このため、軽量で小型でありながら高容量の二次電池が要求されている。
【０００３】
このような状況のもと、小型の燃料電池が注目を集めている。特に、メタノールを燃料として用いた直接メタノール型燃料電池（ＤＭＦＣ：direct methanol fuel cell）は、エネルギー密度の高いメタノールを酸化分解して電流を直接取り出すことができるため、たとえばメタノール改質型燃料電池のように有機燃料から水素を作り出す改質器が不要である。このため、ＤＭＦＣは、出力密度を高くするとともに小型化することが可能であり、携帯機器用の電源として有望視されている。
【０００４】
ＤＭＦＣは、メタノールが供給される燃料極と、スルホン酸基を有するフッ素系高分子等からなるプロトン伝導性の電解質膜と、酸素を取り込む空気極（酸化剤極）とがこの順番に積層された膜電極接合体を備える。
【０００５】
ＤＭＦＣでは、燃料極において式（１）の反応が生じ、メタノールが酸化分解され、二酸化炭素、プロトンおよび電子が生成される。一方、空気極（酸化剤極）においては式（２）の反応が生じ、酸素と、燃料極から電解質膜を経て供給されるプロトンと、燃料極から外部回路を通じて供給される電子とによって水が生成される。ＤＭＦＣは、この外部回路を通る電子によって電力を外部に供給する。
【０００６】
［化１］
燃料極：ＣＨ３ＯＨ＋Ｈ２Ｏ→ＣＯ２＋６Ｈ＋＋６ｅ−        （１）
［化２］
空気極：６Ｈ＋＋（３／２）Ｏ２＋６ｅ−→３Ｈ２Ｏ      （２）
【０００７】
ＤＭＦＣには、燃料極への燃料の供給および空気極への空気（酸素）の供給の仕方によりアクティブ型、セミパッシブ型およびパッシブ型の三形態のＤＭＦＣがある。
【０００８】
アクティブ型のＤＭＦＣとは、燃料極への燃料の供給や空気極への空気の供給をポンプ、ファン等を用いて強制的に行う形態のＤＭＦＣである。セミパッシブ型のＤＭＦＣとは、燃料極への燃料の供給をポンプ等を用いて行うが燃料を燃料タンクには循環させず、かつ空気極への空気の供給を拡散で行う形態のＤＭＦＣである。パッシブ型のＤＭＦＣとは、燃料極への燃料の供給および空気極への空気の供給を共に拡散で行う形態のＤＭＦＣである。
【０００９】
パッシブ型およびセミパッシブ型のＤＭＦＣは、ポンプ等の補器がないまたは少ないため小型化が可能であるが、空気極への空気の安定供給が困難になるおそれがある。
【００１０】
すなわち、パッシブ型およびセミパッシブ型のＤＭＦＣが内蔵された携帯電話機等の燃料電池内蔵装置が、たとえば、バッグの中に収納される等により燃料電池内蔵装置の筐体に設けられた空気取入孔が塞がれると、ＤＭＦＣの発電が停止するおそれがあるという問題がある。
【００１１】
なお、燃料電池を内蔵した燃料電池内蔵装置に関する従来技術としては、特開２００７−８８８０４号公報（特許文献１）が知られている。
【特許文献１】特開２００７−８８８０４号公報
【発明の開示】
【発明が解決しようとする課題】
【００１２】
特許文献１に開示された燃料電池内蔵装置は、燃料電池の発電時の水分を排出する排気口を備えるものの、筐体の空気取入孔が塞がれて発電が停止する場合についての対策をなんら開示していない。
【００１３】
本発明は、上記事情に鑑みてなされたものであり、収納時や使用時に空気極への空気の供給が十分に確保される燃料電池内蔵装置用カバーおよび燃料電池内蔵装置を提供することを目的とする。
【課題を解決するための手段】
【００１４】
本発明者は、燃料電池が内蔵され、空気取入孔が設けられた筐体の外表面に、空気の流通を行う特定構造の燃料電池内蔵装置用のカバーを配置すれば、燃料電池の空気極への空気の供給が十分に確保される燃料電池内蔵装置が得られることを見出し、本発明を完成するに至った。
【００１５】
本発明に係る燃料電池内蔵装置用のカバーは、上記問題点を解決するものであり、空気取入孔が設けられた筐体と、この筐体に内蔵され、燃料極、空気極および電解質膜を有する燃料電池とを備えた燃料電池内蔵装置に用いられ、この燃料電池内蔵装置の筐体の空気取入孔を覆うように配置される立体形状の燃料電池内蔵装置用カバーであって、前記カバーは、前記筐体の空気取入孔に連通する三次元空気流通路が設けられたことを特徴とする。
【００１６】
また、本発明に係る燃料電池内蔵装置は、上記問題点を解決するものであり、前記燃料電池内蔵装置用カバーを配置してなることを特徴とする。
【発明の効果】
【００１７】
本発明に係る燃料電池内蔵装置用カバーおよび燃料電池内蔵装置によれば、収納時や使用時に空気極への空気の供給が十分に確保される燃料電池内蔵装置およびこの燃料電池内蔵装置用のカバーが得られる。
【発明を実施するための最良の形態】
【００１８】
＜燃料電池内蔵装置＞
［第１実施形態］
本発明に係る燃料電池内蔵装置の第１実施形態について、図面を参照して説明する。
【００１９】
図１は、本発明に係る燃料電池内蔵装置の第１実施形態の斜視図である。図２は、図１に示す燃料電池内蔵装置を折りたたんだ状態を示す斜視図である。図３は、図２に示す燃料電池内蔵装置のカバーを透視して示す斜視図である。
【００２０】
図１および図２に示す燃料電池内蔵装置１は携帯電話機の例である。燃料電池内蔵装置１は、折りたたみ可能な燃料電池内蔵装置本体（携帯電話機本体）２と、カバー３０とを備える。
【００２１】
燃料電池内蔵装置本体２は、表示側本体３と操作側本体４とが図示しないヒンジを介して開閉自在になっている。表示側本体３は、内表面（見開き表面）に液晶パネル等の表示部５を備える。操作側本体４は、内表面（見開き表面）に操作キー等の操作部６を備える。表示側本体３の筐体２０内には、図示しない燃料電池が内蔵される。
【００２２】
図３に示すように、表示側本体３の筐体２０の外表面２２には複数個の空気取入孔２３が縦横整列配置されて設けられる。空気取入孔２３は、筐体２０内の図示しない燃料電池のカソード（空気極）に空気（酸素）を供給する。
【００２３】
（燃料電池）
図４は、燃料電池１０の断面を示す図である。
【００２４】
燃料電池１０は、いわゆるセミパッシブ型の直接メタノール型燃料電池（ＤＭＦＣ）である。燃料電池１０は、膜電極接合体５０と、燃料収容部８２と、燃料ポンプ８３と、燃料遮断バルブ８４とを備える。
【００２５】
セミパッシブ型のＤＭＦＣとは、燃料を燃料収容部８２と膜電極接合体５０との間で循環しない形態のＤＭＦＣを意味する。すなわち、燃料電池１０では、アクティブ型のように、膜電極接合体５０で発電反応に使用された燃料が燃料収容部８２に戻されることはない。また、燃料電池１０は、従来の内部気化型のような純パッシブ方式とも異なる。
【００２６】
セミパッシブ型のＤＭＦＣは、アクティブ型のＤＭＦＣに比べて装置の小型化を図りつつ、パッシブ型のＤＭＦＣに比べて燃料供給を安定化することができる。
【００２７】
膜電極接合体５０は、燃料極５１と空気極５２とが電解質膜５３を介して設けられている。
【００２８】
燃料極５１は、シート状の燃料極触媒層５５と燃料極ガス拡散層５６とが積層された２層構造を有する。空気極５２は、シート状の空気極触媒層５７と空気極ガス拡散層５８とが積層された２層構造を有する。
【００２９】
膜電極接合体５０は、燃料極５１側から、燃料極ガス拡散層５６／燃料極触媒層５５／電解質膜５３／空気極触媒層５７／空気極ガス拡散層５８の順番に積層された多層積層構造になっている。膜電極接合体５０の空気極ガス拡散層５８の外側表面には、膜電極接合体５０を保護し形状を維持するカバープレート７０が配置される。カバープレート７０には、図示しない空気孔が設けられ、筐体２０に設けられた空気取入孔２３との間で空気の流通が可能になっている。
【００３０】
燃料極５１の燃料極触媒層５５および空気極５２の空気極触媒層５７は、触媒が電解質膜５３にイオン交換樹脂等で固着されたものになっている。触媒燃料極触媒層５５および空気極触媒層５７に用いられる触媒としては、たとえば、Ｐｔ、Ｒｕ、Ｒｈ、Ｉｒ、Ｏｓ、Ｐｄ等の白金族元素の単体や、これら白金族元素を含有する合金等が挙げられる。
【００３１】
電解質膜５３は、プロトン（水素イオン）伝導性を有する電解質膜である。電解質膜５３を構成するプロトン伝導性材料としては、たとえば、スルホン酸基を有する有機系材料や、タングステン酸、リンタングステン酸等の無機系材料が挙げられる。
【００３２】
膜電極接合体５０は、燃料極ガス拡散層５６の外側表面が燃料分配機構６０の燃料分配部６１に相対するように配置される。
【００３３】
燃料分配部６１と電解質膜５３との間にはＯリング７１ａが介装され、内部にアノード空間７５が形成される。アノード空間７５内には、燃料極ガス拡散層５６および燃料極触媒層５５が配置される。
【００３４】
また、電解質膜５３とカバープレート７０との間にはＯリング７１ｂが介装され、内部にカソード空間７６が形成される。カソード空間７６内には、空気極触媒層５７および空気極ガス拡散層５８が配置される。
【００３５】
燃料電池１０は、カバープレート７０が、表示側本体３の筐体２０の空気取入孔２３に相対するように配置される。
【００３６】
膜電極接合体５０の燃料極５１側には、燃料分配機構６０が配置される。燃料分配機構６０は、燃料収容部８２から送液された燃料を膜電極接合体５０の燃料極５１に供給する。燃料分配機構６０は、ボックス状の燃料分配部６１からなる。燃料分配部６１は、燃料を内部に収容する空隙部６３と、燃料を空隙部６３内に注入するための燃料注入口６２と、空隙部６３内の燃料を外部に排出する燃料排出口６４とを有する。
【００３７】
燃料収容部８２は、内部に燃料を収容可能なタンクである。燃料収容部８２は、燃料供給管８１を介して、燃料分配機構６０の燃料注入口６２に接続される。燃料収容部８２に収容される燃料としては、たとえば、各種濃度のメタノール水溶液や純メタノール等のメタノール燃料、エタノール水溶液や純エタノール等のエタノール燃料、プロパノール水溶液や純プロパノール等のプロパノール燃料、グリコール水溶液や純グリコール等のグリコール燃料、ジメチルエーテル、ギ酸、その他の液体燃料が挙げられる。
【００３８】
燃料ポンプ８３は、膜電極接合体５０の燃料極５１に燃料を供給する。燃料遮断バルブ８４は、燃料供給管８１中の燃料の流量を制御する。
【００３９】
（カバー）
図５は、図１に示す燃料電池内蔵装置１に用いられるカバー３０の斜視図である。図６は、図５に示すカバー３０の平断面図である。図７は、図５に示すカバー３０のＡ−Ａ線に沿う断面図である。
【００４０】
カバー３０は、表示側本体３の筐体２０の外表面２２に、空気取入孔２３を覆うように配置される。
【００４１】
図５に示すように、カバー３０は、ボックス状のカバー本体３１からなる。
【００４２】
カバー本体３１の矩形の外表面９１には、矩形の空気流通口３５ａが複数個マトリックス状に設けられて、空気流通口群３８ａを形成している。
【００４３】
カバー本体３１の短手方向の外側面９３および長手方向の外側面９４には、矩形の空気流通口３５ｃおよび３５ｄがそれぞれ複数個列状に設けられて、空気流通口群３８ｃ、３８ｄを形成している。
【００４４】
また、短手方向および長手方向の外側面９３、９４に対向する外側面９５、９６には、図示しない空気流通口が列状に設けられて、空気流通口群３８ｃ、３８ｄと同様の空気流通口群をそれぞれ形成している。
【００４５】
これにより、ボックス状のカバー３０には、外表面９１と、外側面９３、９４、９５、９６とに、空気流通口３５が開口している。
【００４６】
図６および図７に示すように、カバー３０は、外表面９１に対向する裏面９２に、矩形の裏面開口部３６が設けられる。裏面開口部３６は、複数個がマトリックス状に配列されて裏面開口部群９７を形成している。
【００４７】
カバー本体３１の内部には、内部空間３７が形成される。内部空間３７中には、外表面９１と裏面９２とを接続する複数個の柱部材９８がマトリックス状に設けられる。内部空間３７は、各空気流通口３５と裏面開口部３６とを連通させるように設けられる。
【００４８】
カバー３０の内部空間３７をマトリックス状に形成する方法としては、たとえば、柱部材９８を有するように成型した外表面９１側の部材と、柱部材９８を有さないように成型した裏面９２側の部材とを、柱部材９８の端部等で接着してカバー３０を組み立てる方法が挙げられる。
【００４９】
カバー３０は、各空気流通口３５と裏面開口部３６とが内部空間３７を介して連通するようになっている。このため、たとえば、各空気流通口３５から導入された空気は、内部空間３７を介して裏面開口部３６から排出可能になっている。カバー３０の、各空気流通口３５、内部空間３７および裏面開口部３６は、三次元的な空気の流路、すなわち三次元空気流通路を形成している。
【００５０】
カバー３０は、裏面９２が、表示側本体３の筐体２０の外表面２２に相対するように配置される。これにより、カバー３０の空気流通口３５と、筐体２０の空気取入孔２３との間で、内部空間３７および裏面開口部３６を介して、空気の流通が可能になる。
【００５１】
カバー３０の材質は特に限定されないが、たとえば公知のプラスチック、金属を用いることができる。カバー３０は、たとえば、接着剤や図示しないねじ等を用いて表示側本体３の筐体２０の外表面２２に取り付けられる。
【００５２】
（作用）
次に、燃料電池内蔵装置１の作用を説明する。
【００５３】
はじめに、図１および図２に示すように、燃料電池内蔵装置１のボックス状カバー３０は、通常の状態では、外表面９１と、外側面９３、９４、９５、９６とに設けられた空気流通口３５が全て開口している。このため、燃料電池内蔵装置１は、カバー３０の空気流通口３５と、表示側本体３の筐体２０に設けられた空気取入孔２３との間で、自由な空気の流通が可能である。これにより、筐体２０に内蔵された燃料電池１０の空気極５２には空気が十分に供給され、燃料電池１０の発電が良好に行われる。
【００５４】
一方、カバー３０は、外表面９１および外側面９３、９４、９５、９６のいずれか１面または２面以上の空気流通口３５が障害物により閉塞されても、通常は少なくともいずれか１面の空気流通口３５が開口しているため、カバー３０の空気流通口３５と筐体２０の空気取入孔２３との間で、空気の流通が可能である。これにより、筐体２０に内蔵された燃料電池１０の空気極５２には空気が十分に供給され、燃料電池１０の発電が良好に行われる。
【００５５】
なお、上記の作用の説明では、障害物としてバッグの内面材を例に挙げたが、障害物としては、バッグの内面材に限定されない。障害物としては、人間の掌やテーブルの天板等が挙げられる。
【００５６】
たとえば、使用者が燃料電池内蔵装置（携帯電話機）１のカバー３０を握っている場合には人間の掌が障害物になる。また、燃料電池内蔵装置１のカバー３０側を図示しないテーブル上に載置している場合にはテーブルの天板が障害物になる。
【００５７】
このような場合でも、カバー３０には、カバー３０の表面の外表面９１および外側面９３、９４、９５、９６に開口する空気流通口３５が設けられているため、カバー３０に設けられた空気流通口３５と、表示側本体３の筐体２０に設けられた空気取入孔２３との間で空気の流通が可能である。このため、燃料電池１０は、空気が空気極５２に十分に供給されることにより、発電が良好に行われる。
【００５８】
また、本発明に係る燃料電池内蔵装置１では、カバー３０の内部空間により、空気極５２に取り込む空気の温度の変化が小さくなるため、発電能力の安定化を図ることができる。
【００５９】
さらに、燃料電池１０は発電の際に発熱するため、筐体２０が高温になり、使用者の手が低温やけどを起こしたり、テーブルの天板の塗装が変色したりするおそれがある。
【００６０】
これに対し、本発明に係る燃料電池内蔵装置１は、表示側本体３の筐体２０の表面がカバー３０で覆われているため、使用者の手が低温やけどを起こしたり、テーブルの天板の塗装が変色したりするおそれが少ない。
【００６１】
本発明に係る燃料電池内蔵装置１によれば、空気の流通が可能なカバー３０が設けられているため、燃料電池内蔵装置１の燃料電池１０の発電を安定して行うことができる。
【００６２】
また、本発明に係る燃料電池内蔵装置１によれば、ボックス状のカバー３０が設けられているため、燃料電池内蔵装置１に接触する使用者や物に与える熱の影響が少ない。
【００６３】
なお、カバー３０は、外側面９３、９４等の複数個の空気流通口３５（３５ｃ、３５ｄ等）が、列状の空気流通口群３８（３８ｃ、３８ｄ等）を形成した例を示したが、外側面９３、９４等の空気流通口３５が二列以上配列されてなる多列状の空気流通口群３８を形成していてもよい。
【００６４】
また、カバー３０は、外表面９１、外側面９３、９４等に設けられた空気流通口３５（３５ａ、３５ｃ、３５ｄ等）の形状が矩形の例を示したが、空気流通口３５の形状は矩形以外の形状、たとえば、円形であってもよい。
【００６５】
さらに、カバー３０は、外表面９１、外側面９３、９４等に設けられた空気流通口３５（３５ａ、３５ｃ、３５ｄ等）の大きさが均一の例を示したが、空気流通口３５の大きさは均一でなくてもよい。
【００６６】
また、カバー３０は、外表面９１、外側面９３、９４等に設けられた空気流通口３５（３５ａ、３５ｃ、３５ｄ等）の数を適宜変更してもよい。
【００６７】
さらに、カバー３０は、内部空間３７がマトリックス状に形成された例を示したが、柱部材９８を持たない直方体状の内部空間３７が形成されていてもよい。
【００６８】
また、カバー３０は、表示側本体３の筐体２０の外表面２２との間に実質的に隙間を生じないように配置された例を示したが、カバーのうち表示側本体３の筐体２０側の面に図示しない脚部を設けることにより、カバーと表示側本体３の筐体２０の外表面２２との間に隙間を形成する構成としてもよい。
【００６９】
［第２実施形態］
図８は、燃料電池内蔵装置の第２実施形態に用いられるカバー３０Ａの斜視図である。図９は、図８に示すカバー３０Ａの平断面図である。
【００７０】
燃料電池内蔵装置の第２実施形態は、図１および図２に示す燃料電池内蔵装置の第１実施形態に対して、カバー３０に代えてカバー３０Ａを用いる点で異なり、他の構成は同じである。このため、図８および図９には、カバー３０Ａのみ示す。
【００７１】
燃料電池内蔵装置の第２実施形態に用いられるカバー３０Ａは、燃料電池内蔵装置の第１実施形態に用いられるカバー３０に対して、空気流通口３５の形状が異なる点、および裏面開口部３６に代えて裏面開口部３６Ａを設けた点以外は同じである。図８および図９中、燃料電池内蔵装置の第１実施形態に用いられるカバー３０と同じ構成には、同じ参照符号を付し、構成および作用の説明を省略または簡略化する。
【００７２】
図８に示すように、ボックス状のカバー本体３１の矩形の外表面９１および長手方向の外側面９４には、スリット状の空気流通口３５ｅおよび３５ｇが設けられる。空気流通口３５ｅは複数個が平行に並列配列されることにより、スリット状の空気流通口群３８ｅを形成している。
【００７３】
カバー本体３１の短手方向の外側面９３には、矩形の空気流通口３５ｆが複数個列状に設けられ、空気流通口群３８ｆを形成している。
【００７４】
また、短手方向の外側面９３に対向する外側面９５には、図示しない空気流通口が設けられ、空気流通口群３８ｆと同様の空気流通口群を形成している。長手方向の外側面９４に対向する外側面９６には、スリット状の空気流通口３５ｇと同様の図示しない空気流通口が設けられる。
【００７５】
これにより、ボックス状のカバー３０Ａには、外表面９１と、外側面９３、９４、９５、９６とに、空気流通口３５が開口している。
【００７６】
図９に示すように、カバー３０Ａは、外表面９１に対向する裏面９２に、スリット状の裏面開口部３６Ａが複数個設けられる。裏面開口部３６Ａは、複数個が平行に並列配列されることにより、スリット状の裏面開口部群９７Ａを形成する。
【００７７】
カバー本体３１の内部には、直方体状の内部空間３７Ａが形成される。内部空間３７Ａは、各空気流通口３５と裏面開口部３６Ａとを連通させるように設けられる。
【００７８】
カバー３０Ａの、各空気流通口３５、内部空間３７Ａおよび裏面開口部３６Ａは、三次元空気流通路を形成している。
【００７９】
カバー３０Ａは、裏面９２が、表示側本体３の筐体２０の外表面２２に相対するように配置される。これにより、カバー３０Ａの空気流通口３５と、筐体２０の空気取入孔２３との間で、内部空間３７Ａおよび裏面開口部３６Ａを介して、空気の流通が可能になる。
【００８０】
なお、カバー３０Ａでは、外側面９３および９５に設けられた空気流通口３５（３５ｆ等）が列状の空気流通口群３８（３８ｆ等）を形成した例を示したが、外側面９３および９５の空気流通口３５は二列以上配列されてなる多列状の空気流通口群３８を形成していてもよい。また、外側面９３および９５の空気流通口３５はスリット状に形成されたものであってもよい。
【００８１】
また、カバー３０Ａでは、外表面９１のスリット状の空気流通口３５ｅを、空気流通口３５ｅの長手方向とカバー３０Ａの長手方向とが一致するように形成した例を示したが、スリット状の空気流通口３５ｅを、空気流通口３５ｅの長手方向とカバー３０Ａの短手方向とが一致するように形成したものであってもよい。
【００８２】
［第３実施形態］
図１０は、燃料電池内蔵装置の第３実施形態に用いられるカバー３０Ｂの斜視図である。図１１は、図１０に示すカバー３０Ｂの平断面図である。
【００８３】
燃料電池内蔵装置の第３実施形態は、図１および図２に示す燃料電池内蔵装置の第１実施形態に対して、カバー３０に代えてカバー３０Ｂを用いる点で異なり、他の構成は同じである。このため、図１０および図１１には、カバー３０Ｂのみ示す。
【００８４】
燃料電池内蔵装置の第３実施形態に用いられるカバー３０Ｂは、燃料電池内蔵装置の第１実施形態に用いられるカバー３０に対して、カバー本体３１に代えてカバー本体３１Ｂを用いる点、空気流通口３５の形状が異なる点、および裏面開口部３６に代えて裏面開口部３６Ｂを設けた点以外は同じである。このため、図１０および図１１中、第１実施形態に用いられるカバー３０と同じ構成には、同じ参照符号を付し、構成および作用の説明を省略または簡略化する。
【００８５】
図１０に示すように、カバー３０Ｂは、短手方向の外側面９３、頂面の外表面９１および矩形の外表面９１が弧状曲面で連続するように接続されるとともに、長手方向の外側面９４、外表面９１および長手方向の外側面９６とがそれぞれ角部で連続するように接続されたボックス状のカバー本体３１Ｂからなる。カバー本体３１Ｂには内部空間３７Ｂが設けられる。
【００８６】
カバー本体３１Ｂには、外表面９１、短手方向の外側面９３および９５にまたがって切欠されたスリット状の空気流通口３５ｈが複数個並列に設けられ、空気流通口群３８ｈを形成している。
【００８７】
また、カバー本体３１Ｂの長手方向の外側面９４には、スリット状の空気流通口３５ｉが設けられる。さらに、外側面９４に対向する外側面９６には、空気流通口３５ｉと同様の図示しない空気流通口が設けられる。
【００８８】
これにより、ボックス状のカバー３０Ｂには、外表面９１と、外側面９３、９４、９５、９６とに空気流通口３５が開口している。
【００８９】
図１１に示すように、ボックス状のカバー３０Ｂは、外表面９１に対向する裏面９２に、スリット状の裏面開口部３６Ｂが設けられる。裏面開口部３６Ｂは、複数個が平行に並列配列されてスリット状の裏面開口部群９７Ｂを形成している。
【００９０】
カバー本体３１Ｂの内部には、略直方体状の内部空間３７Ｂが形成される。内部空間３７Ｂは、各空気流通口３５と裏面開口部３６Ｂとを連通させるように設けられる。
【００９１】
カバー３０Ｂの、各空気流通口３５、内部空間３７Ｂおよび裏面開口部３６Ｂは、三次元空気流通路を形成している。
【００９２】
カバー３０Ｂは、裏面９２が、表示側本体３の筐体２０の外表面２２に相対するように配置される。これにより、カバー３０Ｂの空気流通口３５と、筐体２０の空気取入孔２３との間で、内部空間３７Ｂおよび裏面開口部３６Ｂを介して、空気の流通が可能になる。
【００９３】
カバー３０Ｂを用いた燃料電池内蔵装置の作用は、カバー３０を用いた燃料電池内蔵装置１の作用に対し、カバー３０の空気流通口３５、内部空間３７および裏面開口部３６を、カバー３０Ｂの空気流通口３５、内部空間３７Ｂおよび裏面開口部３６Ｂに代えた以外は同じであるため、説明を省略する。
【００９４】
なお、カバー３０Ｂでは、外表面９１は、両端に屈曲部を有する細長い板状部材が集まって構成されているが、本発明で用いられるカバーは、外表面９１が、両端に屈曲部を有する針金状部材が集まって構成されていてもよい。
【００９５】
［第４実施形態］
図１２は、燃料電池内蔵装置の第４実施形態に用いられるカバー３０Ｃの斜視図である。図１３は、図１２に示すカバー３０Ｃの平断面図である。図１４は、図１２に示すカバー３０ＣのＢ−Ｂ線に沿う断面図である。
【００９６】
燃料電池内蔵装置の第４実施形態は、図１および図２に示す燃料電池内蔵装置の第１実施形態に対して、カバー３０に代えてカバー３０Ｃを用いる点で異なり、他の構成は同じである。このため、図１２〜図１４には、カバー３０Ｃのみ示す。
【００９７】
図１２に示すように、カバー３０Ｃは、矩形の板状の基板４５と、基板４５の表面に突設された複数条のリブ状の凸部４１とを有する立体形状になっている。
【００９８】
図１３および図１４に示すように、基板４５は、矩形の板状の基板本体４８にスリット状の空気流通口６５Ｃが複数個開口したものである。複数個の空気流通口６５Ｃは、リブ状の凸部４１間に平行に並列配列されることにより、空気流通口群６８Ｃを形成している。
【００９９】
リブ状の凸部４１（４１ａ〜４１ｄ等）は、凸部４１の長手方向が基板本体４８の長手方向に向くとともに、短手方向に離間して配置される。リブ状の凸部４１（４１ａ〜４１ｄ等）は、高さが異なるように設けられる。ここで、リブ状の凸部４１の高さが異なるとは、リブ状の凸部４１の高さが２種類以上あることを意味する。複数条のリブ状の凸部４１中には、高さの同じリブ状の凸部４１が含まれていてもよい。
【０１００】
カバー３０Ｃのリブ状の凸部４１の高さは、幅方向の中央部に設けられたリブ状の凸部４１ｄが一番高くなっている。また、リブ状の凸部４１ｄから幅方向の２条目に設けられたリブ状の凸部４１ｂ等の高さが二番目に高く、リブ状の凸部４１ｄに隣接するリブ状の凸部４１ｃ等や幅方向の端部に位置する４１ａ等の高さが一番低くなっている。
【０１０１】
基板４５の基板本体４８に設けられた隣接するリブ状の凸部４１間には、スリット状の空気流通口６５Ｃが開口するとともに、空気流通口６５Ｃに連通する隙間３９が設けられる。
【０１０２】
カバー３０Ｃは、空気流通口６５Ｃと隙間３９とが連通するため、たとえば、隙間３９を流通する空気が空気流通口６５Ｃを介して裏面に排出可能になっている。カバー３０Ｃの、隙間３９および空気流通口６５Ｃは、三次元空気流通路を形成している。
【０１０３】
カバー３０Ｃは、基板４５が、表示側本体３の筐体２０の外表面２２に相対するように配置される。これにより、カバー３０Ｃの空気流通口６５Ｃと、筐体２０の空気取入孔２３との間で空気の流通が可能になる。
【０１０４】
（作用）
次に、カバー３０Ｃを用いた燃料電池内蔵装置の作用を説明する。
【０１０５】
はじめに、カバー３０Ｃは、通常の状態では、カバー３０Ｃの空気流通口６５Ｃと、表示側本体３の筐体２０の空気取入孔２３との間で空気の流通が可能である。これにより、筐体２０に内蔵された燃料電池１０の空気極５２には空気が十分に供給され、燃料電池１０の発電が良好に行われる。
【０１０６】
一方、カバー３０Ｃは、障害物で覆われても、障害物のリブ状の凸部４１への接触は、実質的に、最も高いリブ状の凸部４１ｄや二番目に高いリブ状の凸部４１ｂ等の頂部に留まるため、障害物とリブ状の凸部４１との間には、隙間３９に連通する空間が確保される。また、カバー３０Ｃのリブ状の凸部４１の長手方向の端部には、隙間３９が開放されている。
【０１０７】
このため、カバー３０Ｃは、障害物で覆われても、隙間３９と空気流通口６５Ｃとからなる三次元空気流通路がカバー３０Ｃ外に連通しており、隙間３９を介した空気流通口６５Ｃと筐体２０の空気取入孔２３との間で空気の流通が可能である。これにより、筐体２０に内蔵された燃料電池１０の空気極５２には空気が十分に供給され、燃料電池１０の発電が良好に行われる。
【０１０８】
なお、カバー３０Ｃは、リブ状の凸部４１の高さが異なる構成を示したが、凸部４１の高さが同じ構成にしてもよい。この構成のカバーで凸部４１に障害物が接触した場合でも、隣接する凸部４１、４１間の隙間３９が凸部４１の長手方向の端部に開放されているため、この開放された部分から空気流通口６５Ｃに空気を取り込むことができる。
【０１０９】
また、カバー３０Ｃは、リブ状の凸部４１は、カバー３０Ｃの表面側の頂部の角を丸めた構成にしてもよい。
【０１１０】
さらに、カバー３０Ｃは、凸部４１の形状を、たとえば、円柱状としてもよい。
【０１１１】
［第５実施形態］
図１５は、燃料電池内蔵装置の第５実施形態に用いられるカバー３０Ｄの斜視図である。図１６は、図１５に示すカバー３０Ｄの平断面図である。図１７は、図１５に示すカバー３０ＤのＣ−Ｃ線に沿う断面図である。
【０１１２】
燃料電池内蔵装置の第５実施形態は、図１および図２に示す燃料電池内蔵装置の第１実施形態に対して、カバー３０に代えてカバー３０Ｄを用いる点で異なり、他の構成は同じである。このため、図１５〜図１７には、カバー３０Ｄのみ示す。
【０１１３】
図１５に示すように、カバー３０Ｄは、矩形の板状の基板４５と、基板４５の表面に突設された複数条の凸部４１とを有する立体形状になっている。
【０１１４】
図１６および図１７に示すように、基板４５は、矩形の板状の基板本体４８にスリット状の空気流通口６５Ｄが複数個開口したものである。複数個の空気流通口６５Ｄは、リブ状の凸部４１間に平行に並列配列されることにより、空気流通口群６８Ｄを形成している。
【０１１５】
リブ状の凸部４１（４１ｅ〜４１ｌ等）は、高さの異なる突起が２条ずつ一体成型されて基部４９で接続され、強度が補強されたものである。
【０１１６】
カバー３０Ｄは、高さの等しいリブ状の凸部４１、４１が２条ずつ隣接し、対をなすリブ状の凸部４１、４１間に空気流通口６５Ｄが開口している。
【０１１７】
たとえば、隣接する２条のリブ状の凸部４１ｅと４１ｆ、凸部４１ｇと４１ｈ、凸部４１ｉと４１ｊ、凸部４１ｋと４１ｌがそれぞれ対をなし、同じ高さに形成される。これらの高さの等しい隣接する２条のリブ状の凸部４１、４１間に、空気流通口６５Ｄが開口している。
【０１１８】
カバー３０Ｄの凸部４１の高さは、幅方向の中央付近に設けられた凸部４１ｋ、４１ｌの組が一番高くなっている。また、リブ状の凸部４１ｋ、４１ｌの組から幅方向の２組目に設けられたリブ状の凸部４１ｇ、凸部４１ｈの組等の高さが二番目に高くなっている。さらに、リブ状の凸部４１ｋ、４１ｌの組に隣接するリブ状の凸部４１ｉ、凸部４１ｊの組や、端部近傍に位置するリブ状の４１ｅ、４１ｆの組等の高さが一番低くなっている。
【０１１９】
基板４５の基板本体４８に設けられ、対をなす同じ高さのリブ状の凸部４１、４１間には、スリット状の空気流通口６５Ｄが開口するとともに、空気流通口６５Ｄに連通する隙間３９が設けられる。
【０１２０】
カバー３０Ｄは、空気流通口６５Ｄと隙間３９とが連通するため、たとえば、隙間３９を流通する空気が空気流通口６５Ｄを介して裏面に排出可能になっている。カバー３０Ｄの、隙間３９および空気流通口６５Ｄは、三次元空気流通路を形成している。
【０１２１】
カバー３０Ｄは、基板４５が、表示側本体３の筐体２０の外表面２２に相対するように配置される。これにより、カバー３０Ｄの空気流通口６５Ｄと、筐体２０の空気取入孔２３との間で空気の流通が可能になる。
【０１２２】
カバー３０Ｄを用いた燃料電池内蔵装置の作用は、カバー３０Ｃを用いた燃料電池内蔵装置の作用に対し、カバー３０Ｃの空気流通口６５Ｃを、カバー３０Ｄの空気流通口６５Ｄに代えた以外は同じであるため、説明を省略する。
【０１２３】
なお、カバー３０Ｄは、凸部４１が板状の突起になっているが、カバー３０Ｄの凸部４１は、カバー３０Ｄの表面側の頂部の角を丸めた構成にしてもよい。
【０１２４】
［第６実施形態］
図１８は、燃料電池内蔵装置の第６実施形態に用いられるカバー３０Ｅの斜視図である。図１９は、図１８に示すカバー３０Ｅの平断面図である。図２０は、図１８に示すカバー３０ＥのＤ−Ｄ線に沿う断面図である。
【０１２５】
燃料電池内蔵装置の第６実施形態は、図１および図２に示す燃料電池内蔵装置の第１実施形態に対して、カバー３０に代えてカバー３０Ｅを用いる点で異なり、他の構成は同じである。このため、図１８〜図２０には、カバー３０Ｅのみ示す。
【０１２６】
図１８に示すように、カバー３０Ｅは、矩形の板状の基板４５と、基板４５の表面に設けられた門型形状の凸部４１（４１ｍ、４１ｎ、４１ｏ、４１ｐ等）とを有する立体形状になっている。
【０１２７】
図１９および図２０に示すように、基板４５は、矩形の板状の基板本体４８にスリット状の空気流通口６５Ｅが複数個開口したものである。複数個の空気流通口６５Ｅは、平行に並列配列されることにより空気流通口群６８Ｅを形成している。
【０１２８】
空気流通口６５Ｅの上方には、門型形状の凸部４１が設けられる。各門型形状の凸部４１は、基板本体４８に立設された脚部材４３と、複数個の脚部材４３、４３間に基板本体４８の長手方向に掛け渡されたブリッジ部材４４と、を有する門型形状になっている。
【０１２９】
たとえば、凸部４１ｎは、４個の脚部材４３ｄ、４３ｅ、４３ｆ、４３ｇと、脚部材４３ｄ、４３ｅ、４３ｆ、４３ｇに掛け渡されたブリッジ部材４４ｎと、を有する門型形状になっている。また、凸部４１ｍは、脚部材として、柱状の４３ａと、長手方向に長い矩形の板状の４３ｂと、４３ａに対向する柱状の４３ｃとを有し、３個の脚部材４３ａ、４３ｂ、４３ｃと、脚部材４３ａ、４３ｂ、４３ｃに掛け渡されたブリッジ部材４４ｍと、を有する門型形状になっている。
【０１３０】
カバー３０Ｅの門型形状の凸部４１の高さは、幅方向の中央部に設けられた門型形状の凸部４１ｐが一番高くなっている。また、門型形状の凸部４１ｐから幅方向の２個目に設けられた門型形状の凸部４１ｎ等の高さが二番目に高くなっている。さらに、門型形状の凸部４１ｐに隣接する門型形状の凸部４１ｏ等や、端部に位置する門型形状の凸部４１ｍ等の高さが一番低くなっている。
【０１３１】
門型形状の凸部４１の、複数個の脚部材４３、４３とブリッジ部材４４とで囲まれた部分には、ブリッジ下空間４６が形成される。ブリッジ下空間４６は、基板本体４８に開口した空気流通口６５Ｅに連通している。
【０１３２】
幅方向に隣接する門型形状の凸部４１、４１間には、隙間空間３９が形成されている。基板４５の空気流通口６５Ｅは、ブリッジ下空間４６および隙間空間３９を介してカバー３０Ｅの表面側の空間に連通している。
【０１３３】
カバー３０Ｅは、空気流通口６５Ｅとブリッジ下空間４６と隙間３９とが連通するため、たとえば、隙間３９を流通する空気がブリッジ下空間４６および空気流通口６５Ｅを介して裏面に排出可能になっている。カバー３０Ｅの、隙間３９、ブリッジ下空間４６および空気流通口６５Ｅは、三次元空気流通路を形成している。
【０１３４】
カバー３０Ｅは、基板４５が、表示側本体３の筐体２０の外表面２２に相対するように配置される。これにより、カバー３０Ｅの空気流通口６５Ｅと、筐体２０の空気取入孔２３との間で空気の流通が可能になる。
【０１３５】
カバー３０Ｅを用いた燃料電池内蔵装置の作用は、カバー３０Ｃを用いた燃料電池内蔵装置の作用に対し、カバー３０Ｃの空気流通口６５Ｃをカバー３０Ｄの空気流通口６５Ｅに代えた点、および、空気流通口６５Ｅがブリッジ下空間４６および隙間空間３９を介してカバー３０Ｅの表面側の空間に連通する点、以外は同じであるため、説明を省略する。
【０１３６】
なお、カバー３０Ｅは、凸部４１のブリッジ部材４４が板状になっているが、ブリッジ部材４４は、カバー３０Ｅの表面側の角を丸めた構成にしてもよい。
【０１３７】
［第７実施形態］
図２１は、燃料電池内蔵装置の第７実施形態に用いられるカバー３０Ｆの斜視図である。
【０１３８】
燃料電池内蔵装置の第７実施形態は、図１および図２に示す燃料電池内蔵装置の第１実施形態に対して、カバー３０に代えてカバー３０Ｆを用いる点で異なり、他の構成は同じである。このため、図２１には、カバー３０Ｅのみ示す。
【０１３９】
図２１に示すように、カバー３０Ｆは、カバー３０Ｆの厚さ方向に設けられた凸部４１（４１ｐ、４１ｑ）と、凸部４１ｐ、４１ｑ間に形成された弧状の凹部４２とを有する立体形状になっている。凹部４２には、表示側本体３の筐体２０の空気取入孔２３に連通する矩形の空気流通口６５Ｆが開口している。
【０１４０】
空気流通口６５Ｆは複数個設けられる。複数個の空気流通口６５Ｆは、一列に配列されることにより、空気流通口群６８Ｆを形成している。
【０１４１】
カバー３０Ｆは、空気流通口６５Ｆと凹部４２とが連通するため、たとえば、凹部４２を流通する空気が空気流通口６５Ｆを介して裏面に排出可能になっている。カバー３０Ｆの、凹部４２および各空気流通口３５Ｆは、三次元空気流通路を形成している。
【０１４２】
カバー３０Ｆは、裏面が、表示側本体３の筐体２０の外表面２２に相対するように配置される。これにより、カバー３０Ｆの空気流通口６５Ｆと、筐体２０の空気取入孔２３との間で空気の流通が可能になる。
【０１４３】
カバー３０Ｆを用いた燃料電池内蔵装置の作用は、カバー３０Ｃを用いた燃料電池内蔵装置の作用に対し、カバー３０Ｃの空気流通口６５Ｃを、カバー３０Ｆの空気流通口６５Ｆに代えた以外は同じであるため、説明を省略する。
【０１４４】
なお、カバー３０Ｆは、空気流通口６５Ｆの形状が矩形の例を示したが、空気流通口６５の形状が矩形以外の形状、たとえば、円形であってもよい。
【０１４５】
また、カバー３０Ｆは、空気流通口６５Ｆが列状に配列された例を示したが、空気流通口６５が二列以上の多列状に配列されていてもよい。
【０１４６】
［第８実施形態］
図２２は、燃料電池内蔵装置の第８実施形態に用いられるカバー３０Ｇの斜視図である。図２３は、図２２に示すカバー３０Ｇを用いた燃料電池内蔵装置１Ｇを示す斜視図である。
【０１４７】
燃料電池内蔵装置の第８実施形態は、図１および図２に示す燃料電池内蔵装置の第１実施形態に対して、カバー３０に代えてカバー３０Ｇを用いる点で異なり、他の構成は同じである。このため、図２２には、カバー３０Ｇのみ示す。
【０１４８】
図２２に示すように、カバー３０Ｇは、三日月状の断面を有する立体形状のカバー本体３１Ｇ（３１）からなる。カバー本体３１Ｇ（３１）の外表面３２は、曲面状になっている。
【０１４９】
カバー３０Ｇを構成するカバー本体３１Ｇは、酸素を透過する連続気泡体からなる。連続気泡体とは、気泡同士がつながり、気泡を通じて外部と通気可能になっている構造体を意味する。連続気泡体としては、たとえば、連続気泡型のポリエチレンフォームや連続気泡型の多孔性ゴムが挙げられる。
【０１５０】
カバー３０Ｇの図示しない連続気泡は、カバー３０Ｇの表裏を連通させるため、たとえば、カバー３０Ｇの表面にある空気が連続気泡を介して裏面に排出可能になっている。カバー３０Ｇの図示しない連続気泡は、三次元空気流通路を形成している。
【０１５１】
図２３に示すように、カバー３０Ｇは、裏面３３が、表示側本体３の筐体２０の外表面２２に相対するように配置される。カバー３０Ｇは、カバー本体３１Ｇ自体が酸素を透過する連続気泡体であるため、カバー３０Ｇの外表面３２と、筐体２０の空気取入孔２３との間で、カバー本体３１Ｇを介して、空気の流通が可能になっている。
【０１５２】
（作用）
次に、図面を参照して、カバー３０Ｇを用いた燃料電池内蔵装置１Ｇの作用を説明する。
【０１５３】
はじめに、図２３に示すように、燃料電池内蔵装置１Ｇのカバー３０Ｇは、通常の状態では、カバー３０Ｇの外表面３２と、表示側本体３の筐体２０に設けられた空気取入孔２３との間で、カバー本体３１Ｇを介して、空気の流通が可能である。これにより、筐体２０に内蔵された燃料電池１０の空気極５２には空気が十分に供給され、燃料電池１０の発電が良好に行われる。
【０１５４】
一方、燃料電池内蔵装置１Ｇのカバー３０Ｇの外表面３２の一部が障害物で覆われ、図示しない連続気泡の開放端が障害物により閉塞されても、カバー本体３１Ｇの曲面状の外表面３２全体に連続気泡の開放端が開口しているため、カバー３０Ｇの外表面３２と、表示側本体３の筐体２０の空気取入孔２３との間で空気の流通が可能である。これにより、筐体２０に内蔵された燃料電池１０の空気極５２には空気が十分に供給され、燃料電池１０の発電が良好に行われる。
【０１５５】
なお、カバー３０Ｇは、カバー本体３１Ｇ（３１）が断面三日月状の立体形状に形成された例を示したが、断面三日月状以外の立体形状であってもよい。このような立体形状としては、たとえば、直方体状、半円柱状、凹面鏡状等が挙げられる。
【０１５６】
上記の本発明に係る燃料電池内蔵装置の説明では、燃料電池内蔵装置に用いられる燃料電池１０として、セミパッシブ型のＤＭＦＣの例を示したが、本発明に係る燃料電池内蔵装置に用いられる燃料電池としては、空気極への空気の供給を強制的に行うポンプ等をさらに備えることにより、アクティブ型のＤＭＦＣを用いることもできる。
【０１５７】
また、上記の本発明に係る燃料電池内蔵装置の説明では、燃料電池内蔵装置１として、携帯電話機の例を示したが、本発明に係る燃料電池内蔵装置としては、携帯電話機の充電器、パーソナルコンピュータ、ワンセグビューアー、ミュージックプレーヤー等に用いることもできる。
【０１５８】
上記の本発明に係る燃料電池内蔵装置の説明では、燃料電池内蔵装置本体２とカバー３０とからなる燃料電池内蔵装置１を示したが、カバー３０を燃料電池内蔵装置本体２と別体の燃料電池内蔵装置用カバーとしてもよい。この燃料電池内蔵装置用カバーは、たとえば、接着剤や図示しないねじ等を用いて、燃料電池内蔵装置本体２の筐体２０の外表面２２に取り付けられる。
【０１５９】
燃料電池内蔵装置用カバーが取り付けられる燃料電池内蔵装置本体としては、携帯電話機、携帯電話機の充電器、パーソナルコンピュータ、ワンセグビューアー、ミュージックプレーヤー等が挙げられる。
【図面の簡単な説明】
【０１６０】
【図１】本発明に係る燃料電池内蔵装置の第１実施形態の斜視図。
【図２】図１に示す燃料電池内蔵装置を折りたたんだ状態を示す斜視図。
【図３】図２に示す燃料電池内蔵装置のカバーを透視して示す斜視図。
【図４】本発明に係る燃料電池内蔵装置に内蔵される燃料電池の一部の断面を示す図。
【図５】図１に示す燃料電池内蔵装置に用いられるカバーの斜視図。
【図６】図５に示すカバーの平断面図。
【図７】図５に示すカバーのＡ−Ａ線に沿う断面図。
【図８】燃料電池内蔵装置の第２実施形態に用いられるカバーの斜視図。
【図９】図８に示すカバーの平断面図。
【図１０】燃料電池内蔵装置の第３実施形態に用いられるカバーの斜視図。
【図１１】図１０に示すカバーの平断面図。
【図１２】燃料電池内蔵装置の第４実施形態に用いられるカバーの斜視図。
【図１３】図１２に示すカバーの平断面図。
【図１４】図１２に示すカバーのＢ−Ｂ線に沿う断面図。
【図１５】燃料電池内蔵装置の第５実施形態に用いられるカバーの斜視図。
【図１６】図１５に示すカバーの平断面図。
【図１７】図１５に示すカバーのＣ−Ｃ線に沿う断面図。
【図１８】燃料電池内蔵装置の第６実施形態に用いられるカバーの斜視図。
【図１９】図１８に示すカバーの平断面図。
【図２０】図１８に示すカバーのＤ−Ｄ線に沿う断面図。
【図２１】燃料電池内蔵装置の第７実施形態に用いられるカバーの斜視図。
【図２２】燃料電池内蔵装置の第８実施形態に用いられるカバーの斜視図。
【図２３】図２２に示すカバーを用いた燃料電池内蔵装置を示す斜視図。
【符号の説明】
【０１６１】
１  燃料電池内蔵装置
２  燃料電池内蔵装置本体
３  表示側本体
４  操作側本体
５  表示部
６  操作部
１０  燃料電池
２０  筐体（表示側本体の筐体）
２２  空気取入孔が設けられた外表面
２３  空気取入孔
３０、３０Ａ、３０Ｂ、３０Ｃ、３０Ｄ、３０Ｅ、３０Ｆ、３０Ｇ  カバー（燃料電池内蔵装置用カバー）
３１  カバー本体
３２  カバーの外側表面
３３  カバーの裏面
３５、３５ａ、３５ｃ、３５ｄ、３５ｅ、３５ｆ、３５ｇ、３５ｈ、３５ｉ  空気流通口
３６、３６Ａ、３６Ｂ  裏面開口部
３７、３７Ａ、３７Ｂ  内部空間
３８ａ、３８ｃ、３８ｄ  空気流通口群
３９  凸部間の隙間
４１、４１ａ、４１ｂ、４１ｃ、４１ｄ、４１ｅ、４１ｆ、４１ｇ、４１ｈ、４１ｉ、４１ｊ、４１ｋ、４１ｌ、４１ｍ、４１ｎ、４１ｏ、４１ｐ、４１ｑ  凸部
４２  凹部
４３ａ、４３ｂ、４３ｃ、４３ｄ、４３ｅ、４３ｆ、４３ｇ  脚部材
４４ｍ、４４ｎ  ブリッジ部材
４５  基板
４６  ブリッジ下空間
４７  脚部材の接続部材
４８  基板本体
４９  凸部の基部
５０  燃料電池セル（膜電極接合体、ＭＥＡ）
５１  アノード（燃料極）
５２  カソード（空気極）
５３  電解質膜
５５  アノード触媒層
５６  アノードガス拡散層
５７  カソード触媒層
５８  カソードガス拡散層
６０  燃料分配機構
６１  燃料分配部
６２  燃料注入口
６３  空隙部
６４  燃料排出口
６５、６５Ｃ、６５Ｄ、６５Ｅ、６５Ｆ  空気流通口
６８、６８ｃ、６８ｄ  空気流通口群
７０  カバープレート
７１  Ｏリング
７５  アノード空間
７６  カソード空間
８１  燃料供給管
８２  燃料収容部
８３  ポンプ（燃料ポンプ）
８４  燃料遮断バルブ
９１  カバーの外表面
９２  カバーの裏面
９３、９４、９５、９６  カバーの外側面
９７  裏面開口部群
９８  柱部材
【図１】
2010055797.tif 000003
【図２】
2010055797.tif 000004
【図３】
2010055797.tif 000005
【図４】
2010055797.tif 000006
【図５】
2010055797.tif 000007
【図６】
2010055797.tif 000008
【図７】
2010055797.tif 000009
【図８】
2010055797.tif 000010
【図９】
2010055797.tif 000011
【図１０】
2010055797.tif 000012
【図１１】
2010055797.tif 000013
【図１２】
2010055797.tif 000014
【図１３】
2010055797.tif 000015
【図１４】
2010055797.tif 000016
【図１５】
2010055797.tif 000017
【図１６】
2010055797.tif 000018
【図１７】
2010055797.tif 000019
【図１８】
2010055797.tif 000020
【図１９】
2010055797.tif 000021
【図２０】
2010055797.tif 000022
【図２１】
2010055797.tif 000023
【図２２】
2010055797.tif 000024
【図２３】
2010055797.tif 000025